(57)【要約】【課題】他車両や歩行者等に大きな違和感を与えずに車両の側方領域における周辺環境を検出可能な赤外線カメラシステム及び車両を提供する。【解決手段】左側赤外線カメラモジュール６Ｌは、車両１の左側方領域に向けて赤外線を出射するように構成された左側赤外線照射ユニット２２Ｌと、車両１の左側方領域における周辺環境を示す赤外線画像データを取得するように構成された左側赤外線カメラ２６Ｌと、左側赤外線照射ユニット２２Ｌの動作を制御するように構成された制御部２１Ｌと、を備える。制御部２１Ｌは、車両１の走行状態に関連する条件に応じて左側赤外線照射ユニット２２Ｌから出射される赤外線の強度を変更するように構成されている。【選択図】図２
2020093737.tif 000002
【特許請求の範囲】
【請求項１】
車両に設けられた赤外線カメラシステムであって、
前記車両の側方領域に向けて赤外線を出射するように構成された赤外線照射ユニットと、
前記車両の側方領域における周辺環境を示す赤外線画像データを取得するように構成された赤外線カメラと、
前記赤外線照射ユニットの動作を制御するように構成された制御部と、
を備え、
前記制御部は、前記車両の走行状態に関連する条件に応じて前記赤外線照射ユニットから出射される赤外線の強度を変更するように構成されている、
赤外線カメラシステム。
【請求項２】
前記赤外線照射ユニットは、
前記車両の左側方領域に向けて赤外線を出射するように構成された左側赤外線照射ユニットと、
前記車両の右側方領域に向けて赤外線を出射するように構成された右側赤外線照射ユニットと、
を含み、
前記赤外線カメラは、
前記車両の左側方領域における周辺環境を示す赤外線画像データを取得するように構成された左側赤外線カメラと、
前記車両の右側方領域における周辺環境を示す赤外線画像データを取得するように構成された右側赤外線カメラと、
を含み、
前記制御部は、前記車両の走行状態に関連する条件に応じて前記左側赤外線照射ユニット及び／又は前記右側赤外線照射ユニットから出射される赤外線の強度を変更するように構成されている、請求項１に記載の赤外線カメラシステム。
【請求項３】
前記制御部は、前記車両の曲進に応じて、前記赤外線照射ユニットから出射される赤外線の強度を増加するように構成されている、請求項１に記載の赤外線カメラシステム。
【請求項４】
前記制御部は、
前記車両の左方向への曲進に応じて、前記左側赤外線照射ユニットから出射される赤外線の強度を増加させ、
前記車両の右方向への曲進に応じて、前記右側赤外線照射ユニットから出射される赤外線の強度を増加させる、
請求項２に記載の赤外線カメラシステム。
【請求項５】
前記制御部は、
前記車両の左方向への曲進に応じて、前記左側赤外線照射ユニットから出射される赤外線の強度を前記右側赤外線照射ユニットから出射される赤外線の強度よりも増加させ、
前記車両の右方向への曲進に応じて、前記右側赤外線照射ユニットから出射される赤外線の強度を前記左側赤外線照射ユニットから出射される赤外線の強度よりも増加させる、
請求項４に記載の赤外線カメラシステム。
【請求項６】
前記制御部は、
前記車両が左側車線に移動する場合に前記左側赤外線照射ユニットから出射される赤外線の強度を増加させ、
前記車両が右側車線に移動する場合に前記右側赤外線照射ユニットから出射される赤外線の強度を増加させる、
請求項２に記載の赤外線カメラシステム。
【請求項７】
前記制御部は、ステアリングホイールの操舵角に応じて、前記赤外線照射ユニットから出射される赤外線の強度を増加するように構成されている、請求項１に記載の赤外線カメラシステム。
【請求項８】
前記制御部は、
反時計回り方向におけるステアリングホイールの操舵角が第１の操舵角を超えた場合に、前記右側赤外線照射ユニットから出射される赤外線の強度を増加させ、
時計回り方向における前記ステアリングホイールの操舵角が第２の操舵角を超えた場合に、前記左側赤外線照射ユニットから出射される赤外線の強度を増加させる、
請求項２に記載の赤外線カメラシステム。
【請求項９】
前記制御部は、ターンシグナルランプの点灯に応じて、前記赤外線照射ユニットから出射される赤外線の強度を増加するように構成されている、請求項１に記載の赤外線カメラシステム。
【請求項１０】
前記制御部は、
左側ターンシグナルランプの点灯に応じて前記左側赤外線照射ユニットから出射される赤外線の強度を増加させ、
右側ターンシグナルランプの点灯に応じて前記右側赤外線照射ユニットから出射される赤外線の強度を増加させる、
請求項２に記載の赤外線カメラシステム。
【請求項１１】
前記制御部は、前記車両の走行速度が所定の速度以下である場合に、前記赤外線照射ユニットから出射される赤外線の強度を増加させる、請求項１に記載の赤外線カメラシステム。
【請求項１２】
請求項１から１１のうちいずれか一項に記載の赤外線カメラシステムを備えた、車両。
【発明の詳細な説明】
【技術分野】
【０００１】
本開示は、赤外線カメラシステム及び当該赤外線カメラシステムを備えた車両に関する。
【背景技術】
【０００２】
現在、自動車の自動運転技術の研究が各国で盛んに行われており、自動運転モードで車両（以下、「車両」は自動車のことを指す。）が公道を走行することができるための法整備が各国で検討されている。ここで、自動運転モードでは、車両システムが車両の走行を自動的に制御する。具体的には、自動運転モードでは、車両システムは、カメラ、レーダ（例えば、レーザレーダやミリ波レーダ）等のセンサから得られる車両の周辺環境を示す情報（周辺環境情報）に基づいてステアリング制御（車両の進行方向の制御）、ブレーキ制御及びアクセル制御（車両の制動、加減速の制御）のうちの少なくとも１つを自動的に行う。一方、以下に述べる手動運転モードでは、従来型の車両の多くがそうであるように、運転者が車両の走行を制御する。具体的には、手動運転モードでは、運転者の操作（ステアリング操作、ブレーキ操作、アクセル操作）に従って車両の走行が制御され、車両システムはステアリング制御、ブレーキ制御及びアクセル制御を自動的に行わない。尚、車両の運転モードとは、一部の車両のみに存在する概念ではなく、自動運転機能を有さない従来型の車両も含めた全ての車両において存在する概念であって、例えば、車両制御方法等に応じて分類される。
【０００３】
このように、将来において、公道上では自動運転モードで走行中の車両（以下、適宜、「自動運転車」という。）と手動運転モードで走行中の車両（以下、適宜、「手動運転車」という。）が混在することが予想される。
【０００４】
自動運転技術の一例として、特許文献１には、先行車に後続車が自動追従走行した自動追従走行システムが開示されている。当該自動追従走行システムでは、先行車と後続車の各々が照明システムを備えており、先行車と後続車との間に他車が割り込むことを防止するための文字情報が先行車の照明システムに表示されると共に、自動追従走行である旨を示す文字情報が後続車の照明システムに表示される。
【先行技術文献】
【特許文献】
【０００５】
【特許文献１】特開平９−２７７８８７号公報
【発明の概要】
【発明が解決しようとする課題】
【０００６】
ところで、自動運転技術の発展において、周辺環境に対する車両の認識範囲を飛躍的に増大させる必要がある。この点において、車両に複数の異なる種類のセンサ（例えば、カメラ、ＬｉＤＡＲユニット、ミリ波レーダ等）を搭載することが現在検討されている。例えば、車両の前面及び後面の各々にＬｉＤＡＲユニットと可視光カメラを搭載することが現在検討されている。さらに、車両の側方領域における周辺環境に対する車両の認識範囲を向上させるために、車両の左側面及び右側面にもＬｉＤＡＲユニットと可視光カメラを搭載することが考えられる。
【０００７】
しかしながら、車両に搭載されるセンサの数の増大に伴い、周辺環境に対する車両の認識範囲は向上する一方で、車両価格は飛躍的に増大してしまう。特に、ＬｉＤＡＲユニットの単価は高額であるため、車両に搭載されるＬｉＤＡＲユニットの数の増大に伴い車両価格が飛躍的に増大してしまう。
【０００８】
この問題を解決するために、車両の左側面及び右側面に可視光カメラだけを搭載することが考えられる。一方で、車両が夜間に走行中の場合では、可視光カメラによって車両の側方領域における周辺環境を示す画像データを取得するためには、車両の側方領域に向けて可視光を出射する必要がある。しかしながら、車両の側方領域に向けて可視光が出射されると、他車両や歩行者等に大きな違和感を与えてしまう虞がある。したがって、車両が夜間に走行中の場合では、車両の側方領域に向けて可視光を出射することは現実的には困難であるため、車両の左側面及び右側面に搭載された可視光カメラを用いて車両の側方領域の周辺環境を検出することは困難である。上記観点より車両のセンシングシステムをさらに改善する余地がある。
【０００９】
本開示は、他車両や歩行者等に大きな違和感を与えずに車両の側方領域における周辺環境を検出可能な赤外線カメラシステム及び車両を提供することを目的とする。
【課題を解決するための手段】
【００１０】
本開示の一態様の赤外線カメラシステムは、車両に設けられ、前記車両の側方領域に向けて赤外線を出射するように構成された赤外線照射ユニットと、前記車両の側方領域における周辺環境を示す赤外線画像データを取得するように構成された赤外線カメラと、前記赤外線照射ユニットの動作を制御するように構成された制御部と、を備える。
前記制御部は、前記車両の走行状態に関連する条件に応じて前記赤外線照射ユニットから出射される赤外線の強度を変更するように構成されている。
【００１１】
上記構成によれば、車両の走行環境が暗い場合でも車両に搭載された赤外線カメラを用いて車両の側方領域における周辺環境を検出することができる。さらに、赤外線カメラ用の光として可視光ではなく赤外線が車両の側方領域に向けて出射されるので、他車両や歩行者等に大きな違和感を与えてしまう状況を防止することができる。このように、他車両や歩行者等に大きな違和感を与えずに、車両の側方領域における周辺環境を検出可能な赤外線カメラシステムを提供することができる。
【００１２】
さらに、車両の走行状態に関連する条件に応じて赤外線照射ユニットから出射される赤外線の強度が変更される。このように、車両の走行状態が変化する場合において赤外線カメラの検出範囲における周辺環境を確実に検出することができる。
【００１３】
また、前記赤外線照射ユニットは、前記車両の左側方領域に向けて赤外線を出射するように構成された左側赤外線照射ユニットと、前記車両の右側方領域に向けて赤外線を出射するように構成された右側赤外線照射ユニットと、を含んでもよい。
前記赤外線カメラは、前記車両の左側方領域における周辺環境を示す赤外線画像データを取得するように構成された左側赤外線カメラと、前記車両の右側方領域における周辺環境を示す赤外線画像データを取得するように構成された右側赤外線カメラと、を含んでもよい。
前記制御部は、前記車両の走行状態に関連する条件に応じて前記左側赤外線照射ユニット及び／又は前記右側赤外線照射ユニットから出射される赤外線の強度を変更するように構成されてもよい。
【００１４】
上記構成によれば、車両の走行状態に関連する条件に応じて左側赤外線照射ユニットから出射される赤外線の強度が変更されるので、左側赤外線カメラの検出範囲における周辺環境を確実に検出することができる。さらに、車両の走行状態に関連する条件に応じて右側赤外線照射ユニットから出射される赤外線の強度が変更されるので、右側赤外線カメラの検出範囲における周辺環境を確実に検出することができる。
【００１５】
また、前記制御部は、前記車両の曲進に応じて、前記赤外線照射ユニットから出射される赤外線の強度を増加するように構成されてもよい。
【００１６】
上記構成によれば、車両の曲進に応じて赤外線照射ユニットから出射される赤外線の強度が増加するので、車両の曲進時において赤外線カメラの検出範囲における周辺環境を確実に検出することができる。
【００１７】
また、前記制御部は、前記車両の左方向への曲進に応じて、前記左側赤外線照射ユニットから出射される赤外線の強度を増加させてもよい。さらに、前記制御部は、前記車両の右方向への曲進に応じて、前記右側赤外線照射ユニットから出射される赤外線の強度を増加させてもよい。
【００１８】
上記構成によれば、車両の左方向への曲進（左折又は左カーブの走行）に応じて、左側赤外線照射ユニットから出射される赤外線の強度が増加する。このように、車両の左方向への曲進時において左側赤外線カメラの検出範囲における周辺環境を確実に検出することができる。さらに、車両の右方向への曲進（右折又は右カーブの走行）に応じて、右側赤外線照射ユニットから出射される赤外線の強度が増加する。このように、車両の右方向への曲進時において右側赤外線カメラの検出範囲における周辺環境を確実に検出することができる。
【００１９】
また、前記制御部は、前記車両の左方向への曲進に応じて、前記左側赤外線照射ユニットから出射される赤外線の強度を前記右側赤外線照射ユニットから出射される赤外線の強度よりも増加させてもよい。さらに、前記制御部は、前記車両の右方向への曲進に応じて、前記右側赤外線照射ユニットから出射される赤外線の強度を前記左側赤外線照射ユニットから出射される赤外線の強度よりも増加させてもよい。
【００２０】
また、前記制御部は、前記車両が左側車線に移動する場合に前記左側赤外線照射ユニットから出射される赤外線の強度を増加させてもよい。さらに、前記制御部は、前記車両が右側車線に移動する場合に前記右側赤外線照射ユニットから出射される赤外線の強度を増加させてもよい。
【００２１】
上記構成によれば、車両が左側車線に移動する場合に左側赤外線照射ユニットから出射される赤外線の強度が増加する。このように、車両の左側車線の移動時において左側赤外線カメラの検出範囲における周辺環境を確実に検出することができる。さらに、車両が右側車線に移動する場合に右側赤外線照射ユニットから出射される赤外線の強度が増加する。このように、車両の右側車線の移動時において右側赤外線カメラの検出範囲における周辺環境を確実に検出することができる。
【００２２】
また、前記制御部は、ステアリングホイールの操舵角に応じて、前記赤外線照射ユニットから出射される赤外線の強度を増加するように構成されてもよい。
【００２３】
上記構成によれば、ステアリングホイールの操舵角に応じて赤外線照射ユニットから出射される赤外線の強度が増加するので、車両の曲進時において赤外線カメラの検出範囲における周辺環境を確実に検出することができる。
【００２４】
前記制御部は、反時計回り方向におけるステアリングホイールの操舵角が第１の操舵角を超えた場合に、前記右側赤外線照射ユニットから出射される赤外線の強度を増加させてもよい。さらに、前記制御部は、時計回り方向における前記ステアリングホイールの操舵角が第２の操舵角を超えた場合に、前記左側赤外線照射ユニットから出射される赤外線の強度を増加させてもよい。
【００２５】
上記構成によれば、反時計回り方向におけるステアリングホイールの操舵角が第１の操舵角を超えた場合に、右側赤外線照射ユニットから出射される赤外線の強度が増加する。このように、車両が左方向に曲進する場合において右側赤外線カメラの検出範囲における周辺環境を確実に検出することができる。さらに、時計回り方向におけるステアリングホイールの操舵角が第２の操舵角を超えた場合に、左側赤外線照射ユニットから出射される赤外線の強度が増加する。このように、車両が右方向に曲進する場合において左側赤外線カメラの検出範囲における周辺環境を確実に検出することができる。このように、車両の運転者の注意が向く方向とは反対方向における周辺環境を確実に検出することができる。
【００２６】
また、前記制御部は、ターンシグナルランプの点灯に応じて、前記赤外線照射ユニットから出射される赤外線の強度を増加するように構成されてもよい。
【００２７】
上記構成によれば、ターンシグナルランプに応じて赤外線照射ユニットから出射される赤外線の強度が増加するので、車両の走行進路が変化する場合において赤外線カメラの検出範囲における周辺環境を確実に検出することができる。
【００２８】
また、前記制御部は、左側ターンシグナルランプの点灯に応じて前記左側赤外線照射ユニットから出射される赤外線の強度を増加させてもよい。さらに、前記制御部は、右側ターンシグナルランプの点灯に応じて前記右側赤外線照射ユニットから出射される赤外線の強度を増加させてもよい。
【００２９】
上記構成によれば、左側ターンシグナルランプの点灯に応じて左側赤外線照射ユニットから出射される赤外線の強度が増加する。このように、車両が左側に進路を変更する場合において、左側赤外線カメラの検出範囲における周辺環境を確実に検出することができる。さらに、右側ターンシグナルランプの点灯に応じて右側赤外線照射ユニットから出射される赤外線の強度が増加する。このように、車両が右側に進路を変更する場合において、右側赤外線カメラの検出範囲における周辺環境を確実に検出することができる。
【００３０】
また、前記制御部は、前記車両の走行速度が所定の速度以下である場合に、前記赤外線照射ユニットから出射される赤外線の強度を増加させてもよい。
【００３１】
上記構成によれば、車両の走行速度が所定の速度以下である場合に、赤外線照射ユニットから出射される赤外線の強度が増加する。このように、車両の走行速度が低速又は車両が停止している場合において、赤外線カメラの検出範囲における周辺環境を確実に検出することができる。
【００３２】
上記赤外線カメラシステムを備えた車両が提供されてもよい。
【００３３】
上記構成によれば、他車両や歩行者等に大きな違和感を与えずに車両の側方領域における周辺環境を検出可能な車両を提供することができる。
【発明の効果】
【００３４】
本開示によれば、他車両や歩行者等に大きな違和感を与えずに車両の側方領域における周辺環境を検出可能な赤外線カメラシステム及び車両を提供することができる。
【図面の簡単な説明】
【００３５】
【図１】本発明の実施形態（以下、単に本実施形態という。）に係る車両システムが搭載された車両の上面図である。
【図２】本実施形態に係る車両システムのブロック図である。
【図３】（ａ）は、車両の左側面図を示すと共に、左側赤外線カメラモジュールの拡大正面図を示す。（ｂ）は、左側赤外線カメラモジュールの断面図を示す。
【図４】左側赤外線カメラの光軸と右側赤外線カメラの光軸を示す図である。
【図５】車両の左折又は右折に応じて、左側又は右側赤外線照射ユニットから出射される赤外線の強度を増加させる処理を説明するためのフローチャートである。
【図６】車両の左カーブの走行又は右カーブの走行に応じて、左側又は右側赤外線照射ユニットから出射される赤外線の強度を増加させる処理を説明するためのフローチャートである。
【図７】車両の左側車線又は右側車線への移動に応じて、左側又は右側赤外線照射ユニットから出射される赤外線の強度を増加させる処理を説明するためのフローチャートである。
【図８】ステアリングホイールの操舵角に応じて、左側又は右側赤外線照射ユニットから出射される赤外線の強度を増加させる処理を説明するためのフローチャートである。
【図９】車両の左側又は右側ターンシグナルランプに応じて、左側又は右側赤外線照射ユニットから出射される赤外線の強度を増加させる処理を説明するためのフローチャートである。
【図１０】車両の走行速度に応じて、左側又は右側赤外線照射ユニットから出射される赤外線の強度を増加させる処理を説明するためのフローチャートである。
【発明を実施するための形態】
【００３６】
以下、本発明の実施形態（以下、本実施形態という。）について図面を参照しながら説明する。本図面に示された各部材の寸法は、説明の便宜上、実際の各部材の寸法とは異なる場合がある。
【００３７】
また、本実施形態の説明では、説明の便宜上、「左右方向」、「上下方向」、「前後方向」について適宜言及する場合がある。これらの方向は、図１に示す車両１について設定された相対的な方向である。ここで、「左右方向」は、「左方向」及び「右方向」を含む方向である。「上下方向」は、「上方向」及び「下方向」を含む方向である。「前後方向」は、「前方向」及び「後方向」を含む方向である。上下方向は、図１では示されていないが、左右方向及び前後方向に直交する方向である。
【００３８】
最初に、図１及び図２を参照して、本実施形態に係る車両システム２について以下に説明する。図１は、車両システム２が設けられた車両１の上面図である。図２は、車両システム２のブロック図である。車両１は、自動運転モードで走行可能な車両（自動車）である。
【００３９】
図２に示すように、車両システム２は、車両制御部３と、前方センサモジュール４と、後方センサモジュール５と、左側赤外線カメラモジュール６Ｌと、右側赤外線カメラモジュール６Ｒとを備える。さらに、車両システム２は、ＨＭＩ（Ｈｕｍａｎ  Ｍａｃｈｉｎｅ  Ｉｎｔｅｒｆａｃｅ）８と、ＧＰＳ（Ｇｌｏｂａｌ  Ｐｏｓｉｔｉｏｎｉｎｇ  Ｓｙｓｔｅｍ）９と、無線通信部１０と、記憶装置１１とを備える。さらに、車両システム２は、ステアリングアクチュエータ１２と、ステアリング装置１３と、ブレーキアクチュエータ１４と、ブレーキ装置１５と、アクセルアクチュエータ１６と、アクセル装置１７とを備える。
【００４０】
車両制御部３は、車両１の走行を制御するように構成されている。車両制御部３は、例えば、少なくとも一つの電子制御ユニット（ＥＣＵ：Ｅｌｅｃｔｒｏｎｉｃ  Ｃｏｎｔｒｏｌ  Ｕｎｉｔ）により構成されている。電子制御ユニットは、１以上のプロセッサと１以上のメモリを含むコンピュータシステム（例えば、ＳｏＣ（Ｓｙｓｔｅｍ  ｏｎ  ａ  Ｃｈｉｐ）等）と、トランジスタ等のアクティブ素子及びパッシブ素子から構成される電子回路を含む。プロセッサは、例えば、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）及びＴＰＵ（Ｔｅｎｓｏｒ  Ｐｒｏｃｅｓｓｉｎｇ  Ｕｎｉｔ）のうちの少なくとも一つを含む。ＣＰＵは、複数のＣＰＵコアによって構成されてもよい。ＧＰＵは、複数のＧＰＵコアによって構成されてもよい。メモリは、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）を含む。ＲＯＭには、車両制御プログラムが記憶されてもよい。例えば、車両制御プログラムは、自動運転用の人工知能（ＡＩ）プログラムを含んでもよい。ＡＩプログラムは、多層のニューラルネットワークを用いた教師有り又は教師なし機械学習（特に、ディープラーニング）によって構築されたプログラム（学習済みモデル）である。ＲＡＭには、車両制御プログラム、車両制御データ及び/又は車両の周辺環境を示す周辺環境情報が一時的に記憶されてもよい。プロセッサは、ＲＯＭに記憶された各種車両制御プログラムから指定されたプログラムをＲＡＭ上に展開し、ＲＡＭとの協働で各種処理を実行するように構成されてもよい。また、コンピュータシステムは、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍｍａｂｌｅ  Ｇａｔｅ  Ａｒｒａｙ）等の非ノイマン型コンピュータによって構成されてもよい。さらに、コンピュータシステムは、ノイマン型コンピュータと非ノイマン型コンピュータの組み合わせによって構成されてもよい。
【００４１】
前方センサモジュール４は、ＬｉＤＡＲユニット４１と、カメラ４２とを備える。ＬｉＤＡＲユニット４１は、車両１の前方領域における周辺環境を示す３Ｄマッピングデータ（点群データ）を取得した上で、当該取得された３Ｄマッピングデータを車両制御部３に送信するように構成されている。車両制御部３は、送信された３Ｄマッピングデータに基づいて前方領域における周辺環境を示す情報（以下、「周辺環境情報」という。）を特定するように構成されている。周辺環境情報は、車両１の外部に存在する対象物に関する情報を含んでもよい。例えば、周辺環境情報は、車両１の外部に存在する対象物の属性に関する情報と、車両１に対する対象物の距離や位置に関する情報を含んでもよい。カメラ４２は、車両１の前方領域における周辺環境を示す画像データを取得した上で、当該取得された画像データを車両制御部３に送信するように構成されている。車両制御部３は、送信された画像データに基づいて前方領域における周辺環境情報を特定するように構成されている。
【００４２】
ＬｉＤＡＲユニット４１の検出領域とカメラ４２の検出領域は少なくとも部分的に互いに重複してもよい。前方センサモジュール４は、車両１の前面の所定位置に配置されている。例えば、前方センサモジュール４は、フロントグリル又はフロントバンパーに配置されてもよいし、左側ヘッドランプ３０Ｌ及び／又は右側ヘッドランプ３０Ｒ内に配置されてもよい。車両１が２つの前方センサモジュール４を有する場合、一方の前方センサモジュール４が左側ヘッドランプ３０Ｌ内に配置されると共に、他方の前方センサモジュール４が右側ヘッドランプ３０Ｒ内に配置されてもよい。
【００４３】
後方センサモジュール５は、ＬｉＤＡＲユニット５１とカメラ５２とを備える。ＬｉＤＡＲ５２は、車両１の後方領域における周辺環境を示す３Ｄマッピングデータ（点群データ）を取得した上で、当該取得された３Ｄマッピングデータを車両制御部３に送信するように構成されている。車両制御部３は、送信された３Ｄマッピングデータに基づいて後方領域における周辺環境情報を特定するように構成されている。カメラ５２は、車両１の後方領域における周辺環境を示す画像データを取得した上で、当該取得された画像データを車両制御部３に送信するように構成されている。車両制御部３は、送信された画像データに基づいて後方領域における周辺環境情報を特定するように構成されている。
【００４４】
ＬｉＤＡＲユニット５１の検出領域とカメラ５２の検出領域は少なくとも部分的に互いに重複してもよい。後方センサモジュール５は、車両１の後面の所定位置に配置されている。例えば、後方センサモジュール５は、リアグリル又はリアバンパーに配置されてもよいし、左側リアランプ４０Ｌ及び／又は右側リアランプ４０Ｒ内に配置されてもよい。車両１が２つの後方センサモジュール５を有する場合、一方の後方センサモジュール５が左側リアランプ４０Ｌ内に配置されると共に、他方の後方センサモジュール５が右側リアランプ４０Ｒ内に配置されてもよい。
【００４５】
左側赤外線カメラモジュール６Ｌ（左側赤外線カメラシステムの一例）は、車両１の左側Ｃピラー５０Ｌ（左側後方ピラーの一例）に搭載されており、左側赤外線照射ユニット２２Ｌと、左側カメラ２３Ｌと、制御部２１Ｌを備える。左側カメラ２３Ｌは、左側赤外線カメラ２６Ｌと、左側可視光カメラ２７Ｌとを有する。
【００４６】
左側赤外線照射ユニット２２Ｌは、車両１の左側方領域に向けて赤外線（特に、近赤外線）を出射するように構成されている。左側赤外線照射ユニット２２Ｌから出射される赤外線の波長帯は、例えば、７００ｎｍから２５００ｎｍの範囲内である。さらに、赤外線のピーク波長は、例えば、８５０ｎｍ、９４０ｎｍ又は１０５０ｎｍである。左側赤外線カメラ２６Ｌは、車両１の左側方領域の周辺環境を示す赤外線画像データを取得するように構成されている。左側可視光カメラ２７Ｌは、車両１の左側方領域の周辺環境を示す可視光画像データを取得するように構成されている。例えば、可視光画像データの１画素のＲＧＢ要素の各々が８ビットのデータ量を有する場合、可視光画像データは、１画素当たり２４ビットのデータ量を有する。車両制御部３又は制御部２１Ｌは、赤外線画像データ及び／又は可視光画像データに基づいて左側方領域における周辺環境情報を特定するように構成されている。また、左側赤外線照射ユニット２２Ｌの光軸ＡＬ２（図４参照）と左側赤外線カメラ２６Ｌの光軸（図示せず）は互いに略平行であってもよい。この場合、左側赤外線カメラ２６Ｌの検出領域における赤外線の光量不足を好適に防止することができる。
【００４７】
また、図４に示すように、左側赤外線照射ユニット２２Ｌの光軸ＡＬ２は、車両の左後方向を向いていてもよいし（実線で示された矢印を参照）、左右方向を向いていてもよい（破線で示された矢印を参照）。さらに、光軸ＡＬ２は、車両の左前方向を向いていてもよい（破線で示された矢印を参照）。
【００４８】
また、左側赤外線カメラ２６Ｌと左側可視光カメラ２７Ｌは一体的に構成されてもよいし、別々に構成されてもよい。左側赤外線カメラ２６Ｌと左側可視光カメラ２７Ｌが一体的に構成される場合、左側カメラ２３Ｌには、ＲＧＢカラーフィルターと赤外線フィルターとがアレイ状に配置されたカラーフィルターアレイ（ＣＦＡ）が用いられてもよい。左側赤外線カメラ２６Ｌと左側可視光カメラ２７Ｌが一体的に構成される場合、左側赤外線カメラモジュール６Ｌを構成するデバイスの数を減らすことができる。
【００４９】
制御部２１Ｌは、左側赤外線照射ユニット２２Ｌの動作を制御すると共に、左側赤外線カメラ２６Ｌと左側可視光カメラ２７Ｌの動作を制御するように構成されている。制御部２１Ｌは、１以上のプロセッサと１以上のメモリを含むコンピュータシステム（例えば、ＳｏＣ等）と、トランジスタ等のアクティブ素子及びパッシブ素子から構成される電子回路を含む。プロセッサは、ＣＰＵ、ＭＰＵ、ＧＰＵ及びＴＰＵのうちの少なくとも一つを含む。メモリは、ＲＯＭと、ＲＡＭを含む。また、コンピュータシステムは、ＡＳＩＣやＦＰＧＡ等の非ノイマン型コンピュータによって構成されてもよい。
【００５０】
例えば、制御部２１Ｌは、車両１に搭載された照度センサ（図示せず）から取得された照度データに基づいて車両１の走行環境が明るいと判断した場合（具体的には、測定された照度が閾値照度よりも大きい場合）には、左側カメラ２３Ｌのうち左側可視光カメラ２７Ｌのみを動作させてもよい。一方、制御部２１Ｌは、照度データに基づいて車両１の走行環境が暗いと判断した場合（具体的には、測定された照度が閾値照度以下である場合）には、左側カメラ２３Ｌのうち左側赤外線カメラ２６Ｌのみを動作させてもよい。この場合、制御部２１Ｌは、左側赤外線照射ユニット２２Ｌを点灯させてもよい。このように、車両１の走行環境の明るさに依存せずに、車両１の左側方領域における周辺環境情報を特定することができる。
【００５１】
尚、左側赤外線カメラモジュール６Ｌは、左側Ｃピラー５０Ｌ以外の左側後方ピラー（例えば、左側Ｄピラー）に配置されていてもよい。また、本実施形態では、左側赤外線カメラシステムは、左側赤外線カメラモジュール６Ｌとして構成されているが、本実施形態はこれには限定されない。この点において、左側赤外線カメラシステムは１つのモジュールとしてパッケージ化されていなくてもよい。この場合、左側赤外線照射ユニット２２Ｌと左側赤外線カメラ２６Ｌが車両１の左側後方ピラー（例えば、左側Ｃピラー５０Ｌ）に配置されていれば、左側赤外線カメラシステムの構成は特に限定されない。さらに、制御部２１Ｌは、制御部２１Ｒ及び／又は車両制御部３と一体的に構成されていてもよい。
【００５２】
右側赤外線カメラモジュール６Ｒ（右側赤外線カメラシステムの一例）は、車両１の右側Ｃピラー５０Ｒ（右側後方ピラーの一例）に搭載されており、右側赤外線照射ユニット２２Ｒと、右側カメラ２３Ｒと、制御部２１Ｒを備える。右側カメラ２３Ｒは、右側赤外線カメラ２６Ｒと、右側可視光カメラ２７Ｒとを有する。
【００５３】
右側赤外線照射ユニット２２Ｒは、車両１の右側方領域に向けて赤外線（近赤外線）を出射するように構成されている。右側赤外線照射ユニット２２Ｒから出射される赤外線の波長帯は、例えば、７００ｎｍから２５００ｎｍの範囲内である。さらに、赤外線のピーク波長は、例えば、８５０ｎｍ、９４０ｎｍ又は１０５０ｎｍである。右側赤外線カメラ２６Ｒは、車両１の右側方領域の周辺環境を示す赤外線画像データを取得するように構成されている。右側可視光カメラ２７Ｒは、車両１の右側方領域の周辺環境を示す可視光画像データを取得するように構成されている。車両制御部３又は制御部２１Ｒは、赤外線画像データ及び／又は可視光画像データに基づいて右側方領域における周辺環境情報を特定するように構成されている。また、右側赤外線照射ユニット２２Ｒの光軸ＡＲ２（図４参照）と右側赤外線カメラ２６Ｒの光軸（図示せず）は互いに略平行であってもよい。この場合、右側赤外線カメラ２６Ｒの検出領域における赤外線の光量不足を好適に防止することができる。
【００５４】
また、図４に示すように、左側赤外線照射ユニット２２Ｌの光軸ＡＲ２は、車両の左後方向を向いていてもよいし（実線で示された矢印を参照）、左右方向を向いていてもよい（破線で示された矢印を参照）。さらに、光軸ＡＲ２は、車両の左前方向を向いていてもよい（破線で示された矢印を参照）。
【００５５】
右側赤外線カメラ２６Ｒと右側可視光カメラ２７Ｒは一体的に構成されてもよいし、別々に構成されてもよい。右側赤外線カメラ２６Ｒと右側可視光カメラ２７Ｒが一体的に構成される場合、右側カメラ２３Ｒには、ＲＧＢカラーフィルターと赤外線フィルターとがアレイ状に配置されたカラーフィルターアレイ（ＣＦＡ）が用いられてもよい。右側赤外線カメラ２６Ｒと右側可視光カメラ２７Ｒが一体的に構成される場合、右側赤外線カメラモジュール６Ｒを構成するデバイスの数を減らすことができる。
【００５６】
制御部２１Ｒは、右側赤外線照射ユニット２２Ｒの動作を制御すると共に、右側赤外線カメラ２６Ｒと右側可視光カメラ２７Ｒの動作を制御するように構成されている。制御部２１Ｒは、１以上のプロセッサと１以上のメモリを含むコンピュータシステム（例えば、ＳｏＣ等）と、トランジスタ等のアクティブ素子及びパッシブ素子から構成される電子回路を含む。プロセッサは、ＣＰＵ、ＭＰＵ、ＧＰＵ及びＴＰＵのうちの少なくとも一つを含む。メモリは、ＲＯＭと、ＲＡＭを含む。また、コンピュータシステムは、ＡＳＩＣやＦＰＧＡ等の非ノイマン型コンピュータによって構成されてもよい。
【００５７】
例えば、制御部２１Ｒは、車両１に搭載された照度センサ（図示せず）から取得された照度データに基づいて車両１の走行環境が明るいと判断した場合（具体的には、測定された照度が閾値照度よりも大きい場合）には、右側カメラ２３Ｒのうち右側可視光カメラ２７Ｒをのみを動作させてもよい。一方、制御部２１Ｒは、照度データに基づいて車両１の走行環境が暗いと判断した場合（具体的には、測定された照度が閾値照度以下である場合）には、右側カメラ２３Ｒのうち右側赤外線カメラ２６Ｒのみを動作させてもよい。このように、車両１の走行環境の明るさに依存せずに、車両１の右側方領域における周辺環境情報を特定することができる。
【００５８】
尚、右側赤外線カメラモジュール６Ｒは、右側Ｃピラー５０Ｒ以外の右側後方ピラー（例えば、右側Ｄピラー）に配置されていてもよい。また、本実施形態では、右側赤外線カメラシステムは、右側赤外線カメラモジュール６Ｒとして構成されているが、本実施形態はこれには限定されない。この点において、右側赤外線カメラシステムは１つのモジュールとしてパッケージ化されていなくてもよい。この場合、右側赤外線照射ユニット２２Ｒと右側赤外線カメラ２６Ｒが車両１の右側後方ピラー（例えば、右側Ｃピラー５０Ｒ）に配置されていれば、右側赤外線カメラシステムの構成は特に限定されない。さらに、制御部２１Ｒは、制御部２１Ｌ及び／又は車両制御部３と一体的に構成されていてもよい。
【００５９】
ＨＭＩ８は、運転者からの入力操作を受付ける入力部と、走行情報等を運転者に向けて出力する出力部とから構成される。入力部は、ステアリングホイール、アクセルペダル、ブレーキペダル、車両１の運転モードを切替える運転モード切替スイッチ等を含む。出力部は、各種走行情報を表示するディスプレイ（例えば、Ｈｅａｄ  Ｕｐ  Ｄｉｓｐｌａｙ（ＨＵＤ）等）である。ＧＰＳ９は、車両１の現在位置情報を取得し、当該取得された現在位置情報を車両制御部３に出力するように構成されている。
【００６０】
無線通信部１０は、車両１の周囲にいる他車に関する情報（例えば、走行情報等）を他車から受信すると共に、車両１に関する情報（例えば、走行情報等）を他車に送信するように構成されている（車車間通信）。また、無線通信部１０は、信号機や標識灯等のインフラ設備からインフラ情報を受信すると共に、車両１の走行情報をインフラ設備に送信するように構成されている（路車間通信）。また、無線通信部１０は、歩行者が携帯する携帯型電子機器（スマートフォン、タブレット、ウェアラブルデバイス等）から歩行者に関する情報を受信すると共に、車両１の自車走行情報を携帯型電子機器に送信するように構成されている（歩車間通信）。車両１は、他車両、インフラ設備若しくは携帯型電子機器とアドホックモードにより直接通信してもよいし、インターネット等の通信ネットワークを介して通信してもよい。
【００６１】
記憶装置１１は、ハードディスクドライブ（ＨＤＤ）やＳＳＤ（Ｓｏｌｉｄ  Ｓｔａｔｅ  Ｄｒｉｖｅ）等の外部記憶装置である。記憶装置１１には、２次元又は３次元の地図情報及び／又は車両制御プログラムが記憶されてもよい。例えば、３次元の地図情報は、３Ｄマッピングデータ（点群データ）によって構成されてもよい。記憶装置１１は、車両制御部３からの要求に応じて、地図情報や車両制御プログラムを車両制御部３に出力するように構成されている。地図情報や車両制御プログラムは、無線通信部１０と通信ネットワークを介して更新されてもよい。
【００６２】
車両１が自動運転モードで走行する場合、車両制御部３は、走行状態情報、周辺環境情報、現在位置情報、地図情報等に基づいて、ステアリング制御信号、アクセル制御信号及びブレーキ制御信号のうち少なくとも一つを自動的に生成する。ステアリングアクチュエータ１２は、ステアリング制御信号を車両制御部３から受信して、受信したステアリング制御信号に基づいてステアリング装置１３を制御するように構成されている。ブレーキアクチュエータ１４は、ブレーキ制御信号を車両制御部３から受信して、受信したブレーキ制御信号に基づいてブレーキ装置１５を制御するように構成されている。アクセルアクチュエータ１６は、アクセル制御信号を車両制御部３から受信して、受信したアクセル制御信号に基づいてアクセル装置１７を制御するように構成されている。このように、車両制御部３は、走行状態情報、周辺環境情報、現在位置情報、地図情報等に基づいて、車両１の走行を自動的に制御する。つまり、自動運転モードでは、車両１の走行は車両システム２により自動制御される。
【００６３】
一方、車両１が手動運転モードで走行する場合、車両制御部３は、アクセルペダル、ブレーキペダル及びステアリングホイールに対する運転者の手動操作に従って、ステアリング制御信号、アクセル制御信号及びブレーキ制御信号を生成する。このように、手動運転モードでは、ステアリング制御信号、アクセル制御信号及びブレーキ制御信号が運転者の手動操作によって生成されるので、車両１の走行は運転者により制御される。
【００６４】
次に、車両１の運転モードについて説明する。運転モードは、自動運転モードと手動運転モードとからなる。自動運転モードは、完全自動運転モードと、高度運転支援モードと、運転支援モードとからなる。完全自動運転モードでは、車両システム２がステアリング制御、ブレーキ制御及びアクセル制御の全ての走行制御を自動的に行うと共に、運転者は車両１を運転できる状態にはない。高度運転支援モードでは、車両システム２がステアリング制御、ブレーキ制御及びアクセル制御の全ての走行制御を自動的に行うと共に、運転者は車両１を運転できる状態にはあるものの車両１を運転しない。運転支援モードでは、車両システム２がステアリング制御、ブレーキ制御及びアクセル制御のうち一部の走行制御を自動的に行うと共に、車両システム２の運転支援の下で運転者が車両１を運転する。一方、手動運転モードでは、車両システム２が走行制御を自動的に行わないと共に、車両システム２の運転支援なしに運転者が車両１を運転する。
【００６５】
また、車両１の運転モードは、運転モード切替スイッチを操作することで切り替えられてもよい。この場合、車両制御部３は、運転モード切替スイッチに対する運転者の操作に応じて、車両１の運転モードを４つの運転モード（完全自動運転モード、高度運転支援モード、運転支援モード、手動運転モード）の間で切り替える。また、車両１の運転モードは、自動運転車が走行可能である走行可能区間や自動運転車の走行が禁止されている走行禁止区間についての情報または外部天候状態についての情報に基づいて自動的に切り替えられてもよい。この場合、車両制御部３は、これらの情報に基づいて車両１の運転モードを切り替える。さらに、車両１の運転モードは、着座センサや顔向きセンサ等を用いることで自動的に切り替えられてもよい。この場合、車両制御部３は、着座センサや顔向きセンサからの出力信号に基づいて、車両１の運転モードを切り替える。
【００６６】
次に、図３を参照して左側赤外線カメラモジュール６Ｌの具体的な構造について以下に説明する。図３（ａ）は、車両１の側面図を示すと共に、左側赤外線カメラモジュール６Ｌの拡大正面図を示す。図３（ｂ）は、左側赤外線カメラモジュール６Ｌの断面図を示す。
【００６７】
図３に示すように、左側赤外線カメラモジュール６Ｌは、車両１の左側Ｃピラー５０Ｌの所定位置に搭載されている。特に、左側赤外線カメラモジュール６Ｌは、左側Ｃピラー５０Ｌの所定位置に形成された貫通穴５６Ｌ内に嵌め込まれている。左側赤外線カメラモジュール６Ｌは、左側赤外線カメラ２６Ｌと左側可視光カメラ２７Ｌを含む左側カメラ２３Ｌと、左側赤外線照射ユニット２２Ｌと、制御部２１Ｌと、開口部を有するハウジング６１Ｌと、ハウジング６１Ｌの開口部を覆うカバー６２Ｌとを備える。尚、本図面では、左側赤外線カメラ２６Ｌと左側可視光カメラ２７Ｌは一体的に構成されているものとする。
【００６８】
左側カメラ２３Ｌ、左側赤外線照射ユニット２２Ｌ及び制御部２１Ｌは、ハウジング６１Ｌとカバー６２Ｌによって形成された空間内に配置されている。具体的には、ハウジング６１Ｌとカバー６２Ｌによって形成された空間は、第１空間Ｓ１と、第１空間Ｓ１から隔離された第２空間Ｓ２とを有する。左側カメラ２３Ｌは第１空間Ｓ１内に配置されている一方で、左側赤外線照射ユニット２２Ｌ及び制御部２１Ｌは第２空間Ｓ２内に配置されている。上記構成によれば、第１空間Ｓ１と第２空間Ｓ２が互いに隔離されているので、左側赤外線照射ユニット２２Ｌから出射された赤外線が左側赤外線カメラ２６Ｌに直接入射することが好適に防止されうる。このように、左側赤外線カメラ２６Ｌによって取得された赤外線画像データの信頼性を向上させることができる。
【００６９】
左側赤外線照射ユニット２２Ｌは、ヒートシンク３４Ｌと、ヒートシンク３４Ｌ上に配置されたサブマウント３３Ｌと、サブマウント３３Ｌ上に配置された赤外線光源３２Ｌと、ヒートシンク３４Ｌ上に配置されたリフレクター３５Ｌとを備える。ヒートシンク３４Ｌは、赤外線光源３２Ｌより発生した熱を外部に向けて放出するように構成されている。つまり、赤外線光源３２Ｌより発生した熱は、サブマウント３３Ｌ及びヒートシンク３４Ｌを介して第２空間Ｓ２の空気中に放出される。
【００７０】
赤外線光源３２Ｌは、例えば、赤外線を出射するように構成された赤外線ＬＥＤから構成されている。リフレクター３５Ｌは、赤外線光源３２Ｌから出射された赤外線を外部に向けて反射するように構成されている。リフレクター３５Ｌは、例えば、パラボリックリフレクターとして構成されている。この場合、赤外線光源３２Ｌは、リフレクター３５Ｌの焦点付近に配置され、赤外線光源３２Ｌから出射された赤外線は、リフレクター３５Ｌによって略平行光に変換されてもよい。
【００７１】
制御部２１Ｌは、第２空間Ｓ２内に配置されているが、制御部２１Ｌの配置位置は特に限定されない。例えば、制御部２１Ｌは、左側赤外線カメラモジュール６Ｌの外部に配置されてもよい。特に、制御部２１Ｌは、車両１の所定の位置に配置されてもよい。
【００７２】
ハウジング６１Ｌは、ハウジング６１Ｌの外側面１６６Ｌに設けられた一対のランス６７Ｌを有する。カバー６２Ｌは、例えば、赤外線（特に、近赤外線）を透過させる赤外線透過フィルターとして機能する。このため、カバー６２Ｌは、左側赤外線照射ユニット２２Ｌから出射された赤外線（近赤外線）を透過させるように構成されている一方で、少なくとも６００ｎｍ以下の波長の可視光を透過させないように構成されている。さらに、車両１の外部からカバー６２Ｌの色は黒色として認識される。また、カバー６２Ｌは、左側カメラ２３Ｌと対向する位置に貫通穴６３Ｌを有する。尚、左側カメラ２３Ｌが左側赤外線カメラ２６Ｌのみによって構成されている場合には、貫通穴６３Ｌがカバー６２Ｌに形成されていなくてもよい。さらに、左側赤外線カメラ２６Ｌと左側可視光カメラ２７Ｌが互いに分離している場合には、左側可視光カメラ２７Ｌに対向する位置に貫通穴６３Ｌ又は可視光透過フィルターが形成されてもよい。
【００７３】
また、カバー６２Ｌは、カバー６２Ｌの外側面１６３Ｌから外部に向けて突出した鍔部１６２Ｌを有する。鍔部１６２Ｌと左側Ｃピラー５０Ｌとの間にはシートパッキン６８Ｌが設けられている。さらに、カバー６２Ｌの外表面１６４Ｌ上には車両１のエンブレム６５Ｌが形成されている。この点において、左側赤外線照射ユニット２２Ｌから出射された赤外線（近赤外線）に赤色波長帯の光が含まれる場合には、車両１の外部に存在する他車両の乗員や歩行者等は、出射された赤外線を赤みがかった光として認識する。一方、歩行者等は、左側赤外線照射ユニット２２Ｌから出射された赤外線（赤みがかった光）よりもエンブレム６５Ｌに注目する。このため、エンブレム６５Ｌによって、歩行者等が赤外線（赤みがかった光）に対して大きな違和感を覚えることが好適に防止されうる。尚、本実施形態では、エンブレム６５Ｌの形状の一例として「Ａ」が示されているが、エンブレム６５Ｌの形状は特に限定されるものではない。
【００７４】
また、外表面１６４Ｌ上にはコーティング層６６Ｌが形成されている。コーティング層６６Ｌは、撥水コーティング層又は親水コーティング層であってもよい。コーティング層６６Ｌが撥水コーティング層である場合には、水滴がカバー６２Ｌの外表面１６４Ｌ上に付着することが好適に防止されうる。このため、左側カメラ２３Ｌに水滴が写り込むことが好適に防止されるため、左側カメラ２３Ｌによって取得された画像データの信頼性を向上させることができる。一方、コーティング層６６Ｌが親水コーティング層である場合には、ウォータースポットがカバー６２Ｌの外表面１６４Ｌ上に形成されることが好適に防止される。このため、左側カメラ２３Ｌにウォータースポットが写り込むことが好適に防止されるため、左側カメラ２３Ｌによって取得された画像データの信頼性を向上させることができる。
【００７５】
尚、本実施形態では、左側赤外線カメラモジュール６Ｌの具体的な構造についてのみ説明したが、右側赤外線カメラモジュール６Ｒも左側赤外線カメラモジュール６Ｌと同様の構成を有する。即ち、右側赤外線カメラモジュール６Ｒは、車両１の右側Ｃピラー５０Ｒの所定位置に形成された貫通穴に嵌め込まれている。右側赤外線カメラモジュール６Ｒは、右側赤外線カメラ２６Ｒと右側可視光カメラ２７Ｒを含む右側カメラ２３Ｒと、右側赤外線照射ユニット２２Ｒと、制御部２１Ｒと、開口部を有するハウジング（図示せず）と、ハウジングの開口部を覆うカバー（図示せず）とを備える。さらに、右側赤外線カメラモジュール６Ｒは、カバーの外表面に形成された車両１のエンブレム（図示せず）と、カバーの外表面に形成されたコーティング層（図示せず）を備える。また、右側赤外線照射ユニット２２Ｒは、図３に示す左側赤外線照射ユニット２２Ｌと同様の構成を有する。
【００７６】
以上より、本実施形態によれば、車両１の走行環境が暗い場合でも、車両１の左側Ｃピラー５０Ｌに搭載された左側赤外線カメラ２６Ｌを用いて車両１の左側方領域における周辺環境を検出することができると共に、車両１の右側Ｃピラー５０Ｒに搭載された右側赤外線カメラ２６Ｒを用いて車両１の右側方領域における周辺環境を検出することができる。さらに、赤外線カメラ用の光として可視光ではなく赤外線が外部に向けて出射されるので、車両１の外部に存在する他車両や歩行者等に大きな違和感を与えてしまう状況を防止することができる。このように、他車両や歩行者等に大きな違和感を与えずに、車両１の側方領域（左側方領域及び右側方領域）における周辺環境を検出することができる。
【００７７】
さらに、左側赤外線カメラモジュール６Ｌ（特に、左側カメラ２３Ｌ）が左側Ｃピラー５０Ｌに搭載されているため、左側カメラ２３Ｌに汚れが付着しにくくなる。このため、左側カメラ２３Ｌを洗浄するためのクリーナ装置を別途設ける必要がないため、左側赤外線カメラモジュール６Ｌの製造コストを抑えることが可能となる。さらに、汚れの付着により左側カメラ２３Ｌに不具合が生じにくくなるため、左側カメラ２３Ｌの信頼性を向上させることが可能となる。
【００７８】
上記と同様に、右側赤外線カメラモジュール６Ｒ（特に、右側カメラ２３Ｒ）が右側Ｃピラー５０Ｒに搭載されているため、右側カメラ２３Ｒに汚れが付着しにくくなる。このため、右側カメラ２３Ｒを洗浄するためのクリーナ装置を別途設ける必要がないため、右側赤外線カメラモジュール６Ｒの製造コストを抑えることが可能となる。さらに、汚れの付着により右側カメラ２３Ｒに不具合が生じにくくなるため、右側カメラ２３Ｒの信頼性を向上させることが可能となる。
【００７９】
また、本実施形態では、左側赤外線照射ユニット２２Ｌと、左側カメラ２３Ｌと、制御部２１Ｌがハウジング６１Ｌとカバー６２Ｌとによって形成された空間内に収容されており、左側赤外線カメラシステムが１つのモジュールとしてパッケージ化されている。このため、左側赤外線カメラモジュール６Ｌの車両１への取付けを容易に行うことができる。
【００８０】
次に、車両１の走行状態に応じた左側赤外線照射ユニット２２Ｌ及び／又は右側赤外線照射ユニット２２Ｒから出射される赤外線の強度を変更する処理について以下に説明する。尚、以降では、説明の便宜上、左側赤外線照射ユニット２２Ｌ及び右側赤外線照射ユニット２２Ｒを単に「赤外線照射ユニット２２」と総称する場合がある。
【００８１】
（第１の例：車両１の左折／右折に応じて赤外線照射ユニット２２から出射される赤外線の強度を変更する処理）
第１の例として、車両１の左折／右折に応じて赤外線照射ユニット２２から出射される赤外線の強度を変更する処理について図５を参照して説明する。図５は、車両１の左折／右折に応じて赤外線照射ユニット２２から出射される赤外線の強度を増加させる処理を説明するためのフローチャートである。
【００８２】
図５に示すように、車両１が左折する場合において（ステップＳ１でＹＥＳ）、制御部２１Ｌ（図２参照）は、左側赤外線照射ユニット２２Ｌから出射される赤外線の強度を増加させる（ステップＳ２）。具体的には、最初に、車両制御部３（図２参照）は、車両１を左折させると決定した場合に、赤外線の強度の増加を指示するトリガ信号を制御部２１Ｌに送信する。次に、制御部２１Ｌは、受信したトリガ信号に応じて左側赤外線照射ユニット２２Ｌから出射される赤外線の強度を増加させる。この点において、制御部２１Ｌは、左側赤外線照射ユニット２２Ｌから出射される赤外線の強度を第１の強度Ｉ１から第２の強度Ｉ２（＞Ｉ１）に設定する。ここで、第２の強度Ｉ２は、第１の強度Ｉ１よりも大きい。
【００８３】
次に、車両１の左折が完了した場合に（ステップＳ３でＹＥＳ）、制御部２１Ｌは、左側赤外線照射ユニット２２Ｌから出射される赤外線の強度を元に戻す（ステップＳ４）。具体的には、車両制御部３は、車両１の左折が完了したと決定した場合に、赤外線の強度を元に戻すことを指示するトリガ信号を制御部２１Ｌに送信する。次に、制御部２１Ｌは、受信したトリガ信号に応じて左側赤外線照射ユニット２２Ｌから出射される赤外線の強度を元に戻す。この点において、制御部２１Ｌは、左側赤外線照射ユニット２２Ｌから出射される赤外線の強度を第２の強度Ｉ２から第１の強度Ｉ１に設定する。一方、車両１の左折が完了しない場合には（ステップＳ３でＮＯ）、車両制御部３は、車両１の左折が完了するまで制御部２１Ｌへのトリガ信号の送信を保留する。
【００８４】
また、車両１が右折する場合において（ステップＳ５でＹＥＳ）、制御部２１Ｒは、右側赤外線照射ユニット２２Ｒから出射される赤外線の強度を増加させる（ステップＳ６）。具体的には、最初に、車両制御部３は、車両１を右折させると決定した場合に、赤外線の強度の増加を指示するトリガ信号を制御部２１Ｒに送信する。次に、制御部２１Ｒは、受信したトリガ信号に応じて右側赤外線照射ユニット２２Ｒから出射される赤外線の強度を増加させる。この点において、制御部２１Ｒは、右側赤外線照射ユニット２２Ｒから出射される赤外線の強度を第１の強度Ｉ１から第２の強度Ｉ２に設定する。
【００８５】
次に、車両１の右折が完了した場合に（ステップＳ７でＹＥＳ）、制御部２１Ｒは、右側赤外線照射ユニット２２Ｒから出射される赤外線の強度を元に戻す（ステップＳ８）。具体的には、車両制御部３は、車両１の右折が完了したと決定した場合に、赤外線の強度を元に戻すことを指示するトリガ信号を制御部２１Ｒに送信する。次に、制御部２１Ｒは、受信したトリガ信号に応じて右側赤外線照射ユニット２２Ｒから出射される赤外線の強度を元に戻す。この点において、制御部２１Ｒは、右側赤外線照射ユニット２２Ｒから出射される赤外線の強度を第２の強度Ｉ２から第１の強度Ｉ１に設定する。一方、車両１の右折が完了しない場合には（ステップＳ７でＮＯ）、車両制御部３は、車両１の右折が完了するまで制御部２１Ｒへのトリガ信号の送信を保留する。また、車両１が左折又は右折をしない場合では（ステップＳ５でＮＯ）、赤外線照射ユニット２２から出射される赤外線の強度は変更されない。
【００８６】
第１の例によれば、車両１の左折に応じて左側赤外線照射ユニット２２Ｌから出射される赤外線の強度が増加する。このように、車両１の左側領域に存在する対象物により反射される反射光の強度が高くなるため、車両１が左折する場合において左側赤外線カメラ２６Ｌの検出範囲における周辺環境を確実に検出することができる。一方、車両１の右折に応じて右側赤外線照射ユニット２２Ｒから出射される赤外線の強度が増加する。このように、車両１の右側領域に存在する対象物により反射される反射光の強度が高くなるため、車両１が右折する場合において右側赤外線カメラ２６Ｒの検出範囲における周辺環境を確実に検出することができる。
【００８７】
尚、本例では、車両１が左折する場合に左側赤外線照射ユニット２２Ｌから出射される赤外線の強度のみが増加すると共に、車両１が右折する場合に右側赤外線照射ユニット２２Ｒから出射される赤外線の強度のみが増加するが、本例はこれに限定されるものではない。例えば、ステップＳ２において、制御部２１Ｌが左側赤外線照射ユニット２２Ｌから出射される赤外線の強度を増加させると共に、制御部２１Ｒが右側赤外線照射ユニット２２Ｒから出射される赤外線の強度を増加させてもよい。この点において、制御部２１Ｌは、左側赤外線照射ユニット２２Ｌから出射される赤外線の強度を第１の強度Ｉ１から第３の強度Ｉ３に設定する一方で、制御部２１Ｒは、右側赤外線照射ユニット２２Ｒから出射される赤外線の強度を第１の強度Ｉ１から第２の強度Ｉ２に設定してもよい。ここで、第３の強度Ｉ３＞第２の強度Ｉ２＞第１の強度Ｉ１であるものとする。
【００８８】
同様に、ステップＳ６において、制御部２１Ｒが右側赤外線照射ユニット２２Ｒから出射される赤外線の強度を増加させると共に、制御部２１Ｌが左側赤外線照射ユニット２２Ｌから出射される赤外線の強度を増加させてもよい。この点において、制御部２１Ｒは、右側赤外線照射ユニット２２Ｒから出射される赤外線の強度を第１の強度Ｉ１から第３の強度Ｉ３に設定する一方で、制御部２１Ｌは、左側赤外線照射ユニット２２Ｌから出射される赤外線の強度を第１の強度Ｉ１から第２の強度Ｉ２に設定してもよい。ここで、第３の強度Ｉ３＞第２の強度Ｉ２＞第１の強度Ｉ１であるものとする。
【００８９】
（第２の例：車両１の左カーブ／右カーブの走行に応じて赤外線照射ユニット２２から出射される赤外線の強度を変更する処理）
次に、第２の例として、車両１の左カーブ／右カーブの走行に応じて赤外線照射ユニット２２から出射される赤外線の強度を変更する処理について図６を参照して説明する。図６は、車両１の左カーブの走行又は右カーブの走行に応じて赤外線照射ユニット２２から出射される赤外線の強度を増加させる処理を説明するためのフローチャートである。
【００９０】
図６に示すように、車両１が左カーブを走行中の場合において（ステップＳ１０でＹＥＳ）、制御部２１Ｌは、左側赤外線照射ユニット２２Ｌから出射される赤外線の強度を増加させる（ステップＳ１１）。具体的には、最初に、車両制御部３は、車両１が左カーブを走行中であると判定した場合に、赤外線の強度の増加を指示するトリガ信号を制御部２１Ｌに送信する。次に、制御部２１Ｌは、受信したトリガ信号に応じて左側赤外線照射ユニット２２Ｌから出射される赤外線の強度を増加させる。この点において、制御部２１Ｌは、左側赤外線照射ユニット２２Ｌから出射される赤外線の強度を第１の強度Ｉ１から第２の強度Ｉ２（＞Ｉ１）に設定する。
【００９１】
次に、車両１の左カーブの走行が完了した場合に（ステップＳ１２でＹＥＳ）、制御部２１Ｌは、左側赤外線照射ユニット２２Ｌから出射される赤外線の強度を元に戻す（ステップＳ１３）。具体的には、車両制御部３は、車両１による左カーブの走行が完了したと判定した場合に、赤外線の強度を元に戻すことを指示するトリガ信号を制御部２１Ｌに送信する。次に、制御部２１Ｌは、受信したトリガ信号に応じて左側赤外線照射ユニット２２Ｌから出射される赤外線の強度を元に戻す。この点において、制御部２１Ｌは、左側赤外線照射ユニット２２Ｌから出射される赤外線の強度を第２の強度Ｉ２から第１の強度Ｉ１に設定する。一方、車両１による左カーブの走行が完了しない場合には（ステップＳ１２でＮＯ）、車両制御部３は、車両１による左カーブの走行が完了するまで制御部２１Ｌへのトリガ信号の送信を保留する。
【００９２】
また、車両１が右カーブを走行中の場合において（ステップＳ１４でＹＥＳ）、制御部２１Ｒは、右側赤外線照射ユニット２２Ｒから出射される赤外線の強度を増加させる（ステップＳ１５）。具体的には、最初に、車両制御部３は、車両１が右カーブを走行中であると判定した場合に、赤外線の強度の増加を指示するトリガ信号を制御部２１Ｒに送信する。次に、制御部２１Ｒは、受信したトリガ信号に応じて右側赤外線照射ユニット２２Ｒから出射される赤外線の強度を増加させる。この点において、制御部２１Ｒは、右側赤外線照射ユニット２２Ｒから出射される赤外線の強度を第１の強度Ｉ１から第２の強度Ｉ２に設定する。
【００９３】
次に、車両１による右カーブの走行が完了した場合に（ステップＳ１６でＹＥＳ）、制御部２１Ｒは、右側赤外線照射ユニット２２Ｒから出射される赤外線の強度を元に戻す（ステップＳ１７）。具体的には、車両制御部３は、車両１による右カーブの走行が完了したと決定した場合に、赤外線の強度を元に戻すことを指示するトリガ信号を制御部２１Ｒに送信する。次に、制御部２１Ｒは、受信したトリガ信号に応じて右側赤外線照射ユニット２２Ｒから出射される赤外線の強度を元に戻す。この点において、制御部２１Ｒは、右側赤外線照射ユニット２２Ｒから出射される赤外線の強度を第２の強度Ｉ２から第１の強度Ｉ１に設定する。一方、車両１による右カーブの走行が完了しない場合には（ステップＳ１６でＮＯ）、車両制御部３は、車両１による右カーブの走行が完了するまで制御部２１Ｒへのトリガ信号の送信を保留する。また、車両１が左カーブ又は右カーブの走行をしない場合では（ステップＳ１４でＮＯ）、赤外線照射ユニット２２から出射される赤外線の強度は変更されない。
【００９４】
第２の例によれば、車両１による左カーブの走行に応じて左側赤外線照射ユニット２２Ｌから出射される赤外線の強度が増加する。このように、車両１の左側領域に存在する対象物により反射される反射光の強度が高くなるため、車両１が左カーブを走行する場合において左側赤外線カメラ２６Ｌの検出範囲における周辺環境を確実に検出することができる。一方、車両１による右カーブの走行に応じて右側赤外線照射ユニット２２Ｒから出射される赤外線の強度が増加する。このように、車両１の右側領域に存在する対象物により反射される反射光の強度が高くなるため、車両１が右カーブを走行する場合において右側赤外線カメラ２６Ｒの検出範囲における周辺環境を確実に検出することができる。
【００９５】
尚、本例では、車両１が左カーブを走行する場合に左側赤外線照射ユニット２２Ｌから出射される赤外線の強度のみが増加すると共に、車両１が右カーブを走行する場合に右側赤外線照射ユニット２２Ｒから出射される赤外線の強度のみが増加するが、本例はこれに限定されるものではない。例えば、ステップＳ１１において、制御部２１Ｌが左側赤外線照射ユニット２２Ｌから出射される赤外線の強度を増加させると共に、制御部２１Ｒが右側赤外線照射ユニット２２Ｒから出射される赤外線の強度を増加させてもよい。この点において、制御部２１Ｌは、左側赤外線照射ユニット２２Ｌから出射される赤外線の強度を第１の強度Ｉ１から第３の強度Ｉ３に設定する一方で、制御部２１Ｒは、右側赤外線照射ユニット２２Ｒから出射される赤外線の強度を第１の強度Ｉ１から第２の強度Ｉ２に設定してもよい。ここで、第３の強度Ｉ３＞第２の強度Ｉ２＞第１の強度Ｉ１であるものとする。
【００９６】
同様に、ステップＳ１５において、制御部２１Ｒが右側赤外線照射ユニット２２Ｒから出射される赤外線の強度を増加させると共に、制御部２１Ｌが左側赤外線照射ユニット２２Ｌから出射される赤外線の強度を増加させてもよい。この点において、制御部２１Ｒは、右側赤外線照射ユニット２２Ｒから出射される赤外線の強度を第１の強度Ｉ１から第３の強度Ｉ３に設定する一方で、制御部２１Ｌは、左側赤外線照射ユニット２２Ｌから出射される赤外線の強度を第１の強度Ｉ１から第２の強度Ｉ２に設定してもよい。ここで、第３の強度Ｉ３＞第２の強度Ｉ２＞第１の強度Ｉ１であるものとする。
【００９７】
（第３の例：車両１の車線変更に応じて赤外線照射ユニット２２から出射される赤外線の強度を変更する処理）
次に、第３の例として、車両１の車線変更（左側車線又は右側車線への変更）に応じて赤外線照射ユニット２２から出射される赤外線の強度を変更する処理について図７を参照して説明する。図７は、車両１の左側車線又は右側車線への移動に応じて、赤外線照射ユニット２２から出射される赤外線の強度を増加させる処理を説明するためのフローチャートである。
【００９８】
図７に示すように、車両１が左側車線に移動する場合において（ステップＳ２０でＹＥＳ）、制御部２１Ｌは、左側赤外線照射ユニット２２Ｌから出射される赤外線の強度を増加させる（ステップＳ２１）。具体的には、最初に、車両制御部３は、車両１を左側車線に移動させると決定した場合に、赤外線の強度の増加を指示するトリガ信号を制御部２１Ｌに送信する。次に、制御部２１Ｌは、受信したトリガ信号に応じて左側赤外線照射ユニット２２Ｌから出射される赤外線の強度を増加させる。この点において、制御部２１Ｌは、左側赤外線照射ユニット２２Ｌから出射される赤外線の強度を第１の強度Ｉ１から第２の強度Ｉ２（＞Ｉ１）に設定する。
【００９９】
次に、車両１の左側車線への移動が完了した場合に（ステップＳ２２でＹＥＳ）、制御部２１Ｌは、左側赤外線照射ユニット２２Ｌから出射される赤外線の強度を元に戻す（ステップＳ２３）。具体的には、車両制御部３は、車両１による左側車線への移動が完了したと判定した場合に、赤外線の強度を元に戻すことを指示するトリガ信号を制御部２１Ｌに送信する。次に、制御部２１Ｌは、受信したトリガ信号に応じて左側赤外線照射ユニット２２Ｌから出射される赤外線の強度を元に戻す。この点において、制御部２１Ｌは、左側赤外線照射ユニット２２Ｌから出射される赤外線の強度を第２の強度Ｉ２から第１の強度Ｉ１に設定する。一方、車両１による左側車線の移動が完了しない場合には（ステップＳ２２でＮＯ）、車両制御部３は、車両１による左側車線への移動が完了するまで制御部２１Ｌへのトリガ信号の送信を保留する。
【０１００】
また、車両１が右側車線を移動する場合において（ステップＳ２４でＹＥＳ）、制御部２１Ｒは、右側赤外線照射ユニット２２Ｒから出射される赤外線の強度を増加させる（ステップＳ２５）。具体的には、最初に、車両制御部３は、車両１を右側車線に移動させると決定した場合に、赤外線の強度の増加を指示するトリガ信号を制御部２１Ｒに送信する。次に、制御部２１Ｒは、受信したトリガ信号に応じて右側赤外線照射ユニット２２Ｒから出射される赤外線の強度を増加させる。この点において、制御部２１Ｒは、右側赤外線照射ユニット２２Ｒから出射される赤外線の強度を第１の強度Ｉ１から第２の強度Ｉ２に設定する。
【０１０１】
次に、車両１による右側車線への移動が完了した場合に（ステップＳ２６でＹＥＳ）、制御部２１Ｒは、右側赤外線照射ユニット２２Ｒから出射される赤外線の強度を元に戻す（ステップＳ２７）。具体的には、車両制御部３は、車両１による右側車線への移動が完了したと決定した場合に、赤外線の強度を元に戻すことを指示するトリガ信号を制御部２１Ｒに送信する。次に、制御部２１Ｒは、受信したトリガ信号に応じて右側赤外線照射ユニット２２Ｒから出射される赤外線の強度を元に戻す。この点において、制御部２１Ｒは、右側赤外線照射ユニット２２Ｒから出射される赤外線の強度を第２の強度Ｉ２から第１の強度Ｉ１に設定する。一方、車両１による右側車線への移動が完了しない場合には（ステップＳ２６でＮＯ）、車両制御部３は、車両１による右側車線への移動が完了するまで制御部２１Ｒへのトリガ信号の送信を保留する。また、車両１が車線変更をしない場合では（ステップＳ２４でＮＯ）、赤外線照射ユニット２２から出射される赤外線の強度は変更されない。
【０１０２】
第３の例によれば、車両１による左側車線への移動に応じて左側赤外線照射ユニット２２Ｌから出射される赤外線の強度が増加する。このように、車両１の左側領域に存在する対象物により反射される反射光の強度が高くなるため、車両１が左側車線に移動する場合において左側赤外線カメラ２６Ｌの検出範囲における周辺環境を確実に検出することができる。一方、車両１による右側車線への移動に応じて右側赤外線照射ユニット２２Ｒから出射される赤外線の強度が増加する。このように、車両１の右側領域に存在する対象物により反射される反射光の強度が高くなるため、車両１が右側車線に移動する場合において右側赤外線カメラ２６Ｒの検出範囲における周辺環境を確実に検出することができる。
【０１０３】
（第４の例：ステアリングホイールの操舵角に応じて赤外線照射ユニット２２から出射される赤外線の強度を変更する処理）
次に、第４の例として、車両１のステアリングホイールの操舵角（回転角）に応じて赤外線照射ユニット２２から出射される赤外線の強度を変更する処理について図８を参照して説明する。図８は、ステアリングホイールに応じて、赤外線照射ユニット２２から出射される赤外線の強度を増加させる処理を説明するためのフローチャートである。尚、本例では、車両１は、手動運転モード又は運転支援モードで走行中であるものとする。つまり、車両１の走行制御は、運転者によって行なわれているものとする。
【０１０４】
図８に示すように、ステップＳ３０において、車両制御部３は、反時計回りにおける車両１のステアリングホイールの操舵角θが第１の操舵角θｔｈ１を超えたかどうかを判定する。車両制御部３は、操舵角θが第１の操舵角θｔｈ１を超えたと判定した場合に（ステップＳ３０でＹＥＳ）、赤外線の強度の増加を指示するトリガ信号を制御部２１Ｒに送信する。次に、制御部２１Ｒは、受信したトリガ信号に応じて右側赤外線照射ユニット２２Ｒから出射される赤外線の強度を増加させる（ステップＳ３１）。例えば、制御部２１Ｒは、右側赤外線照射ユニット２２Ｒから出射される赤外線の強度を第１の強度Ｉ１から第２の強度Ｉ２（＞Ｉ１）に設定する。
【０１０５】
次に、ステップＳ３２において、車両制御部３は、反時計回りにおける操舵角θが第１の操舵角θｔｈ１以下となったかどうかを判定する。車両制御部３は、操舵角θが第１の操舵角θｔｈ１以下となったと判定した場合に（ステップＳ３２でＹＥＳ）、赤外線の強度を元に戻すことを指示するトリガ信号を制御部２１Ｒに送信する。次に、制御部２１Ｒは、受信したトリガ信号に応じて右側赤外線照射ユニット２２Ｒから出射される赤外線の強度を元に戻す（ステップＳ３３）。この点において、制御部２１Ｒは、右側赤外線照射ユニット２２Ｒから出射される赤外線の強度を第２の強度Ｉ２から第１の強度Ｉ１に設定する。一方、車両制御部３は、操舵角θが第１の操舵角θｔｈ１以下となるまで制御部２１Ｒへのトリガ信号の送信を保留する（ステップＳ３２でＮＯ）。
【０１０６】
また、ステップＳ３４において、車両制御部３は、時計回りにおけるステアリングホイールの操舵角θが第２の操舵角θｔｈ２を超えたかどうかを判定する。車両制御部３は、操舵角θが第２の操舵角θｔｈ２を超えたと判定した場合に（ステップＳ３４でＹＥＳ）、赤外線の強度の増加を指示するトリガ信号を制御部２１Ｌに送信する。次に、制御部２１Ｌは、受信したトリガ信号に応じて左側赤外線照射ユニット２２Ｌから出射される赤外線の強度を増加させる（ステップＳ３５）。例えば、制御部２１Ｌは、左側赤外線照射ユニット２２Ｌから出射される赤外線の強度を第１の強度Ｉ１から第２の強度Ｉ２（＞Ｉ１）に設定する。
【０１０７】
次に、ステップＳ３６において、車両制御部３は、時計回りにおける操舵角θが第２の操舵角θｔｈ２以下となったかどうかを判定する。車両制御部３は、操舵角θが第２の操舵角θｔｈ２以下となったと判定した場合に（ステップＳ３６でＹＥＳ）、赤外線の強度を元に戻すことを指示するトリガ信号を制御部２１Ｌに送信する。ここで、第２の操舵角θｔｈ２は、第１の操舵角θｔｈ１と同一であってもよいし、異なってもよい。次に、制御部２１Ｌは、受信したトリガ信号に応じて左側赤外線照射ユニット２２Ｌから出射される赤外線の強度を元に戻す（ステップＳ３７）。この点において、制御部２１Ｌは、左側赤外線照射ユニット２２Ｌから出射される赤外線の強度を第２の強度Ｉ２から第１の強度Ｉ１に設定する。一方、車両制御部３は、操舵角θが第２の操舵角θｔｈ２以下となるまで制御部２１Ｌへのトリガ信号の送信を保留する（ステップＳ３６でＮＯ）。
【０１０８】
第４の例によれば、反時計回りにおけるステアリングホイールの操舵角（回転角度）に応じて右側赤外線照射ユニット２２Ｒから出射される赤外線の強度が増加する。このように、車両１の右側領域に存在する対象物により反射される反射光の強度が高くなるため、車両１が左方向に曲進（左折又は左カーブの走行）する場合において右側赤外線カメラ２６Ｒの検出範囲における周辺環境を確実に検出することができる。つまり、車両１が左方向に曲進する場合に運転者の注意が向く車両１の左側領域とは反対側の右側領域における周辺環境を確実に検出することができる。
【０１０９】
また、時計回りにおけるステアリングホイールの操舵角（回転角度）に応じて左側赤外線照射ユニット２２Ｌから出射される赤外線の強度が増加する。このように、車両１の左側領域に存在する対象物により反射される反射光の強度が高くなるため、車両１が右方向に曲進（右折又は右カーブの走行）する場合において左側赤外線カメラ２６Ｌの検出範囲における周辺環境を確実に検出することができる。つまり、車両１が右方向に曲進する場合に運転者の注意が向く車両１の右側領域とは反対側の左側領域における周辺環境を確実に検出することができる。
【０１１０】
尚、本例では、反時計回りにおけるステアリングホイールの操舵角θがゼロ度（元の位置）になった場合に、ステップＳ３３の処理若しくはステップＳ３７が実行されてもよい。
【０１１１】
（第５の例：ターンシグナルランプの点灯に応じて赤外線照射ユニット２２から出射される赤外線の強度を変更する処理）
次に、第５の例として、車両１のターンシグナルランプ（左側ターンシグナルランプ又は右側ターンシグナルランプ）に応じて赤外線照射ユニット２２から出射される赤外線の強度を変更する処理について図９を参照して説明する。図９は、車両１の左側ターンシグナルランプ又は右側ターンシグナルランプの点灯に応じて、赤外線照射ユニット２２から出射される赤外線の強度を増加させる処理を説明するためのフローチャートである。
【０１１２】
図９に示すように、左側ターンシグナルランプが点灯する場合において（ステップＳ４０でＹＥＳ）、制御部２１Ｌは、左側赤外線照射ユニット２２Ｌから出射される赤外線の強度を増加させる（ステップＳ４１）。具体的には、最初に、車両制御部３は、左側ターンシグナルランプを点灯させると決定した場合に、赤外線の強度の増加を指示するトリガ信号を制御部２１Ｌに送信する。次に、制御部２１Ｌは、受信したトリガ信号に応じて左側赤外線照射ユニット２２Ｌから出射される赤外線の強度を増加させる。この点において、制御部２１Ｌは、左側赤外線照射ユニット２２Ｌから出射される赤外線の強度を第１の強度Ｉ１から第２の強度Ｉ２（＞Ｉ１）に設定する。
【０１１３】
次に、車両１の左側ターンシグナルランプが消灯した場合に（ステップＳ４２でＹＥＳ）、制御部２１Ｌは、左側赤外線照射ユニット２２Ｌから出射される赤外線の強度を元に戻す（ステップＳ４３）。具体的には、車両制御部３は、左側ターンシグナルランプを消灯させると決定した場合に、赤外線の強度を元に戻すことを指示するトリガ信号を制御部２１Ｌに送信する。次に、制御部２１Ｌは、受信したトリガ信号に応じて左側赤外線照射ユニット２２Ｌから出射される赤外線の強度を元に戻す。この点において、制御部２１Ｌは、左側赤外線照射ユニット２２Ｌから出射される赤外線の強度を第２の強度Ｉ２から第１の強度Ｉ１に設定する。一方、車両制御部３は、左側ターンシグナルランプの消灯を決定するまで制御部２１Ｌへのトリガ信号の送信を保留する（ステップＳ４２でＮＯ）。
【０１１４】
また、車両１の右側ターンシグナルランプが点灯する場合において（ステップＳ４４でＹＥＳ）、制御部２１Ｒは、右側赤外線照射ユニット２２Ｒから出射される赤外線の強度を増加させる（ステップＳ４５）。具体的には、最初に、車両制御部３は、右側ターンシグナルランプを点灯させると決定した場合に、赤外線の強度の増加を指示するトリガ信号を制御部２１Ｒに送信する。次に、制御部２１Ｒは、受信したトリガ信号に応じて右側赤外線照射ユニット２２Ｒから出射される赤外線の強度を増加させる。この点において、制御部２１Ｒは、右側赤外線照射ユニット２２Ｒから出射される赤外線の強度を第１の強度Ｉ１から第２の強度Ｉ２に設定する。
【０１１５】
次に、右側ターンシグナルランプが消灯した場合に（ステップＳ４６でＹＥＳ）、制御部２１Ｒは、右側赤外線照射ユニット２２Ｒから出射される赤外線の強度を元に戻す（ステップＳ４７）。具体的には、車両制御部３は、右側ターンシグナルランプを消灯させると決定した場合に、赤外線の強度を元に戻すことを指示するトリガ信号を制御部２１Ｒに送信する。次に、制御部２１Ｒは、受信したトリガ信号に応じて右側赤外線照射ユニット２２Ｒから出射される赤外線の強度を元に戻す。この点において、制御部２１Ｒは、右側赤外線照射ユニット２２Ｒから出射される赤外線の強度を第２の強度Ｉ２から第１の強度Ｉ１に設定する。一方、車両制御部３は、右側ターンシグナルランプの消灯を決定するまで制御部２１Ｒへのトリガ信号の送信を保留する（ステップＳ４６でＮＯ）。
【０１１６】
第５の例によれば、左側ターンシグナルランプの点灯に応じて左側赤外線照射ユニット２２Ｌから出射される赤外線の強度が増加する。このように、車両１の左側領域に存在する対象物により反射される反射光の強度が高くなるため、車両１が左側に進路を変更する場合において左側赤外線カメラ２６Ｌの検出範囲における周辺環境を確実に検出することができる。一方、右側ターンシグナルランプの点灯に応じて右側赤外線照射ユニット２２Ｒから出射される赤外線の強度が増加する。このように、車両１の右側領域に存在する対象物により反射される反射光の強度が高くなるため、車両１が右側に進路を変更する場合において右側赤外線カメラ２６Ｒの検出範囲における周辺環境を確実に検出することができる。
【０１１７】
（第６の例：車両の走行速度に応じて赤外線照射ユニット２２から出射される赤外線の強度を変更する処理）
次に、第６の例として、車両１の走行速度に応じて赤外線照射ユニット２２から出射される赤外線の強度を変更する処理について図１０を参照して説明する。図１０は、車両１の走行速度に応じて、赤外線照射ユニット２２から出射される赤外線の強度を増加させる処理を説明するためのフローチャートである。
【０１１８】
図１０に示すように、ステップＳ５０において、車両制御部３は、車両１の走行速度を検出するように構成された速度センサから車両１の走行速度に関する情報を取得する。次に、車両制御部３は、車両１の走行速度は所定の速度以下であるかどうかを判定する（ステップＳ５１）。ここで、所定の速度は、例えば３０ｋｍ／ｈである。
【０１１９】
その後、車両制御部３は、車両１の走行速度が所定の速度以下であると判定した場合に（ステップＳ５１でＹＥＳ）、赤外線の強度を第２の強度Ｉ２に設定するためのトリガ信号を制御部２１Ｌ，２１Ｒにそれぞれ送信する。その後、制御部２１Ｌは、車両制御部３より送信されたトリガ信号に基づいて、左側赤外線照射ユニット２２Ｌから出射される赤外線の強度を第２の強度Ｉ２に設定する。さらに、制御部２１Ｒは、車両制御部３より送信されたトリガ信号に基づいて、右側赤外線照射ユニット２２Ｒから出射される赤外線の強度を第２の強度Ｉ２に設定する（ステップＳ５２）。
【０１２０】
一方、車両制御部３は、車両１の走行速度が所定の速度以下ではないと判定した場合に（ステップＳ５１でＮＯ）、赤外線の強度を第１の強度Ｉ１（＜Ｉ２）に設定するための制御信号を制御部２１Ｌ，２１Ｒにそれぞれ送信する。ここで、第２の強度Ｉ２は、第１の強度Ｉ１よりも大きい。その後、制御部２１Ｌは、車両制御部３より送信されたトリガ信号に基づいて、左側赤外線照射ユニット２２Ｌから出射される赤外線の強度を第１の強度Ｉ１に設定する。さらに、制御部２１Ｒは、車両制御部３より送信されたトリガ信号に基づいて、右側赤外線照射ユニット２２Ｒから出射される赤外線の強度を第１の強度Ｉ１に設定する（ステップＳ５３）。
【０１２１】
このように、車両１の走行速度が所定の速度以下である場合において左側赤外線照射ユニット２２Ｌから出射される赤外線の強度が増加する。このため、左側赤外線カメラ２６Ｌは、車両１の走行速度が所定速度以下である場合（特に、車両１が低速で走行している又は車両１が停止している場合）において左側赤外線カメラ２６Ｌの検出範囲における周辺環境を確実に検出することができる。同様に、車両１の走行速度が所定の速度以下である場合（特に、車両１が低速で走行している又は車両１が停止している場合）において右側赤外線照射ユニット２２Ｒから出射される赤外線の強度が増加する。このため、右側赤外線カメラ２６Ｒは、車両１の走行速度が所定の速度以下である場合において右側赤外線カメラ２６Ｒの検出範囲における周辺環境を確実に検出することができる。つまり、車両１が低速で走行又は停止している場合には、車両１の走行状態が大きく変化することや車両１の周辺に歩行者等の対象物が存在することが考えられる。このような状況において、左側赤外線カメラ２６Ｌ及び右側赤外線カメラ２６Ｒの検出範囲における周辺環境を確実に検出することが好ましい。
【０１２２】
尚、本例では、車両１の走行速度が所定の速度以下であると判定された場合に、赤外線の強度が第２の強度Ｉ２に設定されているが、本実施形態はこれには限定されない。例えば、車両１の走行速度に応じて段階的又は連続的に赤外線の強度が変更されてもよい。
【０１２３】
以上、本発明の実施形態について説明をしたが、本発明の技術的範囲が本実施形態の説明によって限定的に解釈されるべきではないのは言うまでもない。本実施形態は単なる一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【０１２４】
本実施形態では、車両の運転モードは、完全自動運転モードと、高度運転支援モードと、運転支援モードと、手動運転モードとを含むものとして説明したが、車両の運転モードは、これら４つのモードに限定されるべきではない。車両の運転モードの区分は、各国における自動運転に係る法令又は規則に沿って適宜変更されてもよい。同様に、本実施形態の説明で記載された「完全自動運転モード」、「高度運転支援モード」、「運転支援モード」のそれぞれの定義はあくまでも一例であって、各国における自動運転に係る法令又は規則に沿って、これらの定義は適宜変更されてもよい。
【符号の説明】
【０１２５】
１：車両
２：車両システム
３：車両制御部
４：前方センサモジュール
５：後方センサモジュール
６Ｌ：左側赤外線カメラモジュール
６Ｒ：右側赤外線カメラモジュール
１０：無線通信部
１１：記憶装置
１２：ステアリングアクチュエータ
１３：ステアリング装置
１４：ブレーキアクチュエータ
１５：ブレーキ装置
１６：アクセルアクチュエータ
１７：アクセル装置
２１Ｌ：制御部
２１Ｒ：制御部
２２Ｌ：左側赤外線照射ユニット
２２Ｒ：右側赤外線照射ユニット
２３Ｌ：左側カメラ
２３Ｒ：右側カメラ
２６Ｌ：左側赤外線カメラ
２６Ｒ：右側赤外線カメラ
２７Ｌ：左側可視光カメラ
２７Ｒ：右側可視光カメラ
３０Ｌ：左側ヘッドランプ
３０Ｒ：右側ヘッドランプ
３２Ｌ：赤外線光源
３３Ｌ：サブマウント
３４Ｌ：ヒートシンク
３５Ｌ：リフレクター
４０Ｌ：左側リアランプ
４０Ｒ：右側リアランプ
４１：ＬｉＤＡＲユニット
４２：カメラ
５０Ｌ：左側Ｃピラー
５０Ｒ：右側Ｃピラー
５１：ＬｉＤＡＲユニット
５２：カメラ
５６Ｌ：貫通穴
６１Ｌ：ハウジング
６２Ｌ：カバー
６３Ｌ：貫通穴
６５Ｌ：エンブレム
６６Ｌ：コーティング層
６７Ｌ：ランス
６８Ｌ：シートパッキン
１６２Ｌ：鍔部
１６３Ｌ：外側面
１６４Ｌ：外表面
【図１】
2020093737.tif 000003
【図２】
2020093737.tif 000004
【図３】
2020093737.tif 000005
【図４】
2020093737.tif 000006
【図５】
2020093737.tif 000007
【図６】
2020093737.tif 000008
【図７】
2020093737.tif 000009
【図８】
2020093737.tif 000010
【図９】
2020093737.tif 000011
【図１０】
2020093737.tif 000012